(57)【要約】【課題】室内の広さを設定することで検出する空気汚れに対する運転をより効率的におこなうことができる空気清浄機を提供することを目的とする。【解決手段】本体１内に備えたガス検出部５や粉塵検出部６と、室内の広さを設定する畳数設定部７により、ガス検出部５や粉塵検出部６から検出した汚れレベルにより決定される運転風量を畳数設定部７により設定された畳数によって再設定され、空気汚れに対して無駄な運転をせず効率良く運転できる空気清浄機を得られる。【選択図】図１
2007203204.tif 000002
【特許請求の範囲】
【請求項１】
本体に設けた吸気口と、前記吸気口から吸気した汚れ空気を清浄化する清浄化手段と、前記清浄化手段に通風する送風手段と、空気中の汚れを検出する汚れ検出手段と、室内の広さを設定する畳数設定手段と、前記汚れ検出手段からの信号から前記送風手段の風量を決定し運転制御する制御部を有し、前記制御部は前記畳数設定手段の設定値によって前記送風手段の風量設定値を選択できるようにした空気清浄機。
【請求項２】
本体に設けた吸気口と、前記吸気口から吸気した汚れ空気を清浄化する清浄化手段と、前記清浄化手段に通風する送風手段と、空気中の汚れを検出する汚れ検出手段と、室内の広さを設定する畳数設定手段と、前記汚れ検出手段からの信号を変換して汚れレベル値として時系列的に規定時間分記憶し、この記憶した汚れレベル値から決定される翌日の前記送風手段の風量を時系列的に制御する制御部を有し、前記制御部は前記畳数設定手段の設定値が基準値より大きい場合に前記送風手段の風量設定値を大きくした空気清浄機。
【請求項３】
制御部は前記畳数設定手段の設定値が基準値より小さい場合に、前記送風手段の風量設定値を小さくした請求項１または２記載の空気清浄機。
【請求項４】
制御部は前記畳数設定手段の設定値が基準値より大きい場合に、翌日の前記送風手段の運転時間を延長するようにした請求項１または２記載の空気清浄機。
【請求項５】
制御部は前記畳数設定手段の設定値が基準値より小さい場合に、翌日の前記送風手段の運転時間を短縮するようにした請求項１または２記載の空気清浄機。
【請求項６】
制御部は前記畳数設定手段の設定値が基準値より大きい場合に、翌日の前記送風手段の運転風量を大きくした請求項１または２記載の空気清浄機。
【請求項７】
制御部は前記畳数設定手段の設定値が基準値より小さい場合に、翌日の前記送風手段の運転風量を小さくした請求項１または２記載の空気清浄機。
【請求項８】
制御部は前記汚れ検出手段からの検出信号が毎日同じ時間帯に連続して汚れが多い場合は、前記畳数設定手段により設定された風量設定値を大きくするようにした請求項２〜５のいずれかに記載の空気清浄機。
【請求項９】
制御部は前記汚れ検出手段からの検出信号が毎日同じ時間帯に連続して汚れが少ない場合は、前記畳数設定手段により設定された風量設定値を小さくするようにした請求項２〜５のいずれかに記載の空気清浄機。
【請求項１０】
制御部は前記汚れ検出手段からの検出信号が粉塵による汚れである場合に、前記畳数設定手段の設定値に対して運転風量を大きくし、かつ運転時間を短くした請求項１〜５のいずれかに記載の空気清浄機。
【請求項１１】
制御部は前記汚れ検出手段からの検出信号がニオイによる汚れである場合に、前記畳数設定手段の設定値に対して運転風量を小さくし、かつ運転時間を長くした請求項１〜５のいずれかに記載の空気清浄機。
【請求項１２】
畳数設定手段を赤外線による自動設定としたことを特徴とする請求項１〜５のいずれかに記載の空気清浄機。
【発明の詳細な説明】
【技術分野】
【０００１】
本発明は、粉塵センサーおよびガスセンサーにより室内の空気汚れを検出し、制御部が送風手段を駆動して室内空気を吸い込み、清浄化手段を通して清浄化する空気清浄機に関するものである。
【背景技術】
【０００２】
従来、この種の空気清浄機は下記に記載されたものが知られている。
【０００３】
以下その空気清浄機について図７から図９を用いて説明する。図に示すように、空気清浄機本体１０１には、前面パネル１０２が設けられ、空気を清浄化するためのフィルター１０４と、フィルター１０４に通風するモーター１０５と、このモーター１０５を運転制御する制御部１０６を備えている。また、本体１０１の側面には室内の空気汚れを検出する光学式の粉塵センサー１０７を設け、本体１０１の前面に空気の汚れを検出するガスセンサー１０８を設けている。
【０００４】
上記構成において、粉塵センサー１０７またはガスセンサー１０８が汚れを検出したとき、制御部１０６は粉塵センサー１０７またはガスセンサー１０８からの信号の大小によりファンモーター１０５の回転数を変えて通風量を変化させ、室内の汚れに対応した清浄化運転を行なうと同時に時系列的に汚れレベルを記憶して翌日にはその記憶された汚れレベルによる予測運転をおこない室内を清浄化するものである（例えば、特許文献１参照）。
【特許文献１】特開２００５−９８２３号公報
【発明の開示】
【発明が解決しようとする課題】
【０００５】
このような従来の空気清浄機では、使用される室内の広さに関係なく、決まった風量で運転するので、使用する室内の広さによっては騒音が大きいという課題があり、使用する室内の広さに合わせた運転風量にすることが要求されている。
【０００６】
また、検知した汚れ量に対して翌日の運転風量を決定して運転をおこなうが、使用される室内の広さによっては実際の汚れ量に対応した風量で運転しておらず効率良く清浄運転できないという課題があり、使用される室内の広さに対応して効率良く清浄運転することが要求されている。
【０００７】
また、汚れ量が多い時間帯は予測される風量は規定の最高風量となるが汚れ除去に時間を要してしまうという課題があり、汚れ量が多い時間帯は最大風量で汚れを除去することが要求されている。
【０００８】
また、汚れ量が少ない時間帯は予測される風量は規定の最低風量となるが汚れ量に対しては運転効率が悪くなるという課題があり、汚れ量の少ない時間帯は最小風量で運転することが要求されている。
【０００９】
また、検出される汚れ物質にかかわらず汚れ量に対応した運転をおこなうため効率的に汚れを除去できないという課題があり、検出する汚れ物質によって効率的に運転することが要求されている。
【００１０】
また、使用者に室内の広さを設定させることが煩わしいという課題があり、自動的に室内の広さを設定することが要求されている。
【００１１】
本発明は、このような従来の課題を解決するものであり、室内の広さに合った運転風量でかつ低騒音で運転し、また、発生する汚れ量に対応して効率良く除去する運転をおこない、また発生する汚れ物質の種類に対応して効率良く運転をおこない、また使用者に煩わしさを感じさせずに最適に汚れを除去する運転モードとなる空気清浄機を提供することを目的としている。
【課題を解決するための手段】
【００１２】
本発明の空気清浄機は上記目的を達成するために、本体に設けた吸気口と、前記吸気口から吸気した汚れ空気を清浄化する清浄化手段と、前記清浄化手段に通風する送風手段と、空気中の汚れを検出する汚れ検出手段と、室内の広さを設定する畳数設定手段と、前記汚れ検出手段からの信号から前記送風手段の風量を決定し運転制御する制御部を有し、前記制御部は前記畳数設定手段の設定値によって前記送風手段の風量設定値を選択できるようにしたものである。
【００１３】
この手段により使用する室内の広さを設定することで運転音を抑えた最適な風量で運転をおこなえる空気清浄機が得られる。
【００１４】
また、本発明の空気清浄機は上記目的を達成するために、本体に設けた吸気口と、前記吸気口から吸気した汚れ空気を清浄化する清浄化手段と、前記清浄化手段に通風する送風手段と、空気中の汚れを検出する汚れ検出手段と、室内の広さを設定する畳数設定手段と、前記汚れ検出手段からの信号を変換して汚れレベル値として時系列的に規定時間分記憶し、この記憶した汚れレベル値から決定される翌日の前記送風手段の風量を時系列的に制御する制御部を有し、前記制御部は前記畳数設定手段の設定値が基準値より大きい場合に前記送風手段の風量設定値を大きくしたものである。
【００１５】
この手段により予測によって決められた運転風量を室内が広い場合は、規定の運転風量より設定値を大きくすることで使用環境に合った効率良く汚れを除去できる空気清浄機が得られる。
【００１６】
また、本発明の空気清浄機は上記目的を達成するために、制御部は前記畳数設定手段の設定値が基準値より小さい場合に、前記送風手段の風量設定値を小さくしたものである。
【００１７】
この手段により予測によって決められた運転風量を室内が狭い場合は、規定の運転風量より設定値を小さくすることで使用環境に合った効率良く汚れを除去できる空気清浄機が得られる。
【００１８】
また、本発明の空気清浄機は上記目的を達成するために、制御部は前記畳数設定手段の設定値が基準値より大きい場合に、翌日の前記送風手段の運転時間を延長するようにしたものである。
【００１９】
この手段により予測によって決められた運転風量の運転時間を室内が広い場合は、規定の運転時間より長くすることで使用環境に合った効率良く汚れを除去できる空気清浄機が得られる。
【００２０】
また、本発明の空気清浄機は上記目的を達成するために、制御部は前記畳数設定手段の設定値が基準値より小さい場合に、翌日の前記送風手段の運転時間を短縮するようにしたものである。
【００２１】
この手段により予測によって決められた運転風量の運転時間を室内が狭い場合は、規定の運転時間より短くすることで使用環境に合った効率良く汚れを除去できる空気清浄機が得られる。
【００２２】
また、本発明の空気清浄機は上記目的を達成するために、制御部は前記畳数設定手段の設定値が基準値より大きい場合に、翌日の前記送風手段の運転風量を大きくしたものである。
【００２３】
この手段により予測によって決められた運転風量を室内が広い場合は、規定の運転風量より１段階上位の風量に設定することで使用環境に合った効率良く汚れを除去できる空気清浄機が得られる。
【００２４】
また、本発明の空気清浄機は上記目的を達成するために、制御部は前記畳数設定手段の設定値が基準値より小さい場合に、翌日の前記送風手段の運転風量を小さくしたものである。
【００２５】
この手段により予測によって決められた運転風量を室内が狭い場合は、規定の運転風量より１段階下位の風量に設定することで使用環境に合った効率良く汚れを除去できる空気清浄機が得られる。
【００２６】
また、本発明の空気清浄機は上記目的を達成するために、制御部は前記汚れ検出手段からの検出信号が毎日同じ時間帯に連続して汚れが多い場合は、前記畳数設定手段により設定された風量設定値を大きくするようにしたものである。
【００２７】
この手段により汚れが多い時間帯には通常より大きな風量で運転するので効率良く汚れを除去できる空気清浄機が得られる。
【００２８】
また、本発明の空気清浄機は上記目的を達成するために、制御部は前記汚れ検出手段からの検出信号が毎日同じ時間帯に連続して汚れが少ない場合は、前記畳数設定手段により設定された風量設定値を小さくするようにしたものである。
【００２９】
この手段により汚れが少ない時間帯には通常より小さな風量で運転するので無駄な運転をせずに効率良く汚れを除去できる空気清浄機が得られる。
【００３０】
また、本発明の空気清浄機は上記目的を達成するために、制御部は前記汚れ検出手段からの検出信号が粉塵による汚れである場合に、前記畳数設定手段の設定値に対して運転風量を大きくし、かつ運転時間を短くしたものである。
【００３１】
この手段により沈降しやすい粉塵汚れに対しては大風量で短時間運転することで効率よく汚れを除去できる空気清浄機が得られる。
【００３２】
また、本発明の空気清浄機は上記目的を達成するために、制御部は前記汚れ検出手段からの検出信号がニオイによる汚れである場合に、前記畳数設定手段の設定値に対して運転風量を小さくし、かつ運転時間を長くしたものである。
【００３３】
この手段により広がりやすいニオイ汚れに対しては小風量で長時間運転することで効率よく汚れを除去できる空気清浄機が得られる。
【００３４】
また、本発明の空気清浄機は上記目的を達成するために、畳数設定を赤外線を用いて自動的におこなうことで、使用者に煩わすことなく使用環境に合った運転状態に設定することができる空気清浄機が得られる。
【発明の効果】
【００３５】
本発明は室内の広さに合った運転風量でかつ低騒音で運転し、また、発生する汚れ量に対応して効率良く除去する運転をおこない、また発生する汚れ物質の種類に対応して効率良く運転をおこない、また使用者に煩わしさを感じさせずに最適に汚れを除去する運転モードとなる空気清浄機を提供することを目的としている。
【００３６】
本発明によれば畳数設定手段から設定された畳数によって規定された各運転モードの運転風量が設定されるので、広い室内では設定風量も大きく、狭い室内では設定風量を小さくすることで、発生する汚れに対して最適な風量で効率良く除去できるという効果のある空気清浄機を提供できる。
【００３７】
また、汚れ検出手段からの信号を変換して汚れレベル値として時系列的に規定時間分記憶し、この記憶した汚れレベル値から決定される翌日の運転風量を畳数設定手段によって
設定された設定値が基準値より大きい場合は風量設定値を大きくして運転するので、広い室内に広がった汚れを効率良く除去できるという効果のある空気清浄機を提供できる。
【００３８】
また、汚れ検出手段からの信号を変換して汚れレベル値として時系列的に規定時間分記憶し、この記憶した汚れレベル値から決定される翌日の運転風量を畳数設定手段によって
設定された設定値が基準値より小さい場合は風量設定値を小さくして運転するので、狭い室内でも低騒音で効率良く汚れを除去できるという効果のある空気清浄機を提供できる。
【００３９】
また、汚れ検出手段からの信号を変換して汚れレベル値として時系列的に規定時間分記憶し、この記憶した汚れレベル値から決定される翌日の運転風量を畳数設定手段によって
設定された設定値が基準値より大きい場合は運転時間を延長するので、広い室内に広がった汚れを効率良く除去できるという効果のある空気清浄機を提供できる。
【００４０】
また、汚れ検出手段からの信号を変換して汚れレベル値として時系列的に規定時間分記憶し、この記憶した汚れレベル値から決定される翌日の運転風量を畳数設定手段によって
設定された設定値が基準値より小さい場合は運転時間を短縮するので、狭い室内では運転時間を短くして発生する騒音を抑えて汚れを効率良く除去できるという効果のある空気清浄機を提供できる。
【００４１】
また、汚れ検出手段からの信号を変換して汚れレベル値として時系列的に規定時間分記憶し、この記憶した汚れレベル値から決定される翌日の運転風量を畳数設定手段によって
設定された設定値が基準値より大きい場合は１段階上位の風量に設定し運転するので、広い室内に広がった汚れを効率良く除去できるという効果のある空気清浄機を提供できる。
【００４２】
また、汚れ検出手段からの信号を変換して汚れレベル値として時系列的に規定時間分記憶し、この記憶した汚れレベル値から決定される翌日の運転風量を畳数設定手段によって
設定された設定値が基準値より小さい場合は１段階下位の風量に設定し運転するので、狭い室内でも低騒音で効率良く汚れを除去できるという効果のある空気清浄機を提供できる。
【００４３】
また、汚れ検出手段からの検出信号が毎日同じ時間帯に連続して汚れが多い場合は、畳数設定手段により設定された風量設定値を大きくするので、短時間で汚れを除去できるという効果のある空気清浄機を提供できる。
【００４４】
また、汚れ検出手段からの検出信号が毎日同じ時間帯に連続して汚れが少ない場合は、畳数設定手段により設定された風量設定値を小さくするので、汚れ発生量も少なく無駄な運転をしないという効果のある空気清浄機を提供できる。
【００４５】
また、汚れ検出手段からの検出信号が粉塵による汚れである場合に、畳数設定手段の設定値に対して運転風量を大きくし、かつ運転時間を短くするので、粉塵が沈降する前に一機に除去できる効率の良い運転をするという効果のある空気清浄機を提供できる。
【００４６】
また、汚れ検出手段からの検出信号がニオイによる汚れである場合に、畳数設定手段の設定値に対して運転風量を小さくし、かつ運転時間を長くするので、室内に広がったニオイ汚れを時間をかけて静かに除去できるという効果のある空気清浄機を提供できる。
【００４７】
また、畳数設定を赤外線を用いて自動的におこなうことで、使用者に煩わすことなく使用環境に合った運転状態に設定することができるという効果のある空気清浄機を提供できる。
【発明を実施するための最良の形態】
【００４８】
本発明の請求項１記載の発明は、本体に設けた吸気口と、前記吸気口から吸気した汚れ空気を清浄化する清浄化手段と、前記清浄化手段に通風する送風手段と、空気中の汚れを検出する汚れ検出手段と、室内の広さを設定する畳数設定手段と、前記汚れ検出手段からの信号から前記送風手段の風量を決定し運転制御する制御部を有し、前記制御部は前記畳数設定手段の設定値によって前記送風手段の風量設定値を選択できるようにしたものであり、室内の広さを選択することで室内が広ければ検出する汚れ量が少なくても室内全体の汚れ量は多くなるので運転風量を大きくし、室内が狭ければ検出する汚れ量が多くても室内全体の汚れ量は多くないので運転風量を小さくして効率良く汚れを浄化できるという作用を有する。
【００４９】
また、本体に設けた吸気口と、前記吸気口から吸気した汚れ空気を清浄化する清浄化手段と、前記清浄化手段に通風する送風手段と、空気中の汚れを検出する汚れ検出手段と、室内の広さを設定する畳数設定手段と、前記汚れ検出手段からの信号を変換して汚れレベル値として時系列的に規定時間分記憶し、この記憶した汚れレベル値から決定される翌日の前記送風手段の風量を時系列的に制御する制御部を有し、前記制御部は前記畳数設定手段の設定値が基準値より大きい場合に前記送風手段の風量設定値を大きくしたものであり、使用する室内が広い場合には予測して運転する風量設定値を大きくして短時間で効果的に汚れを除去する運転ができるという作用を有する。
【００５０】
また、畳数設定手段の設定値が基準値より小さい場合に、前記送風手段の風量設定値を小さくしたものであり、使用する室内が狭い場合には予測して運転する風量設定値を小さくして低騒音で効果的に汚れを除去する運転ができるという作用を有する。
【００５１】
また、畳数設定手段の設定値が基準値より大きい場合に、翌日の前記送風手段の運転時間を延長するようにしたものであり、使用する室内が広い場合には運転時間を延長することで室内に広がった汚れを的確に除去する運転ができるという作用を有する。
【００５２】
また、畳数設定手段の設定値が基準値より小さい場合に、翌日の前記送風手段の運転時間を短縮するようにしたものであり、使用する室内が狭い場合には運転時間を短縮することで汚れを除去した後の無駄な運転を抑えることができるという作用を有する。
【００５３】
また、畳数設定手段の設定値が基準値より大きい場合に、翌日の前記送風手段の運転風量を大きくしたものであり、使用する室内が広い場合には運転風量を１段階上げて室内に
広がった汚れを的確に除去する運転ができるという作用を有する。
【００５４】
また、畳数設定手段の設定値が基準値より小さい場合に、翌日の前記送風手段の運転風量を小さくしたものであり、使用する室内が狭い場合には運転風量を１段階下げて低騒音で効果的に汚れを除去する運転ができるという作用を有する。
【００５５】
また、汚れ検出手段からの検出信号が毎日同じ時間帯に連続して汚れが多い場合は、前記畳数設定手段により設定された風量設定値を大きくするようにしたものであり、汚れが多い時間帯には運転風量を大きくすることにより短時間で汚れを除去できるという作用を有する。
【００５６】
また、汚れ検出手段からの検出信号が毎日同じ時間帯に連続して汚れが少ない場合は、前記畳数設定手段により設定された風量設定値を小さくするようにしたものであり、汚れが少ない時間帯には運転風量を小さくすることで無駄な運転はせずに低騒音できれいな環境を維持できるという作用を有する。
【００５７】
また、汚れ検出手段からの検出信号が粉塵による汚れである場合に、前記畳数設定手段の設定値に対して運転風量を大きくし、かつ運転時間を短くしたものであり、粉塵汚れの場合には沈降する前に一機に除去して運転を停止し無駄のない運転ができるという作用を有する。
【００５８】
また、汚れ検出手段からの検出信号がニオイによる汚れである場合に、前記畳数設定手段の設定値に対して運転風量を小さくし、かつ運転時間を長くしたものであり、ニオイ汚れの場合には汚れが広がるため低風量で長時間運転して効果的に除去する運転ができるという作用を有する。
【００５９】
また、畳数設定手段を赤外線による自動設定としたものであり、自動的に赤外線を発光して壁までの距離を測定し畳数を設定するので、使用者が設置して運転するだけで最適な運転風量に設定されているという作用を有する。
【００６０】
以下、本発明の実施の形態について図面を参照しながら説明する。
【００６１】
（実施の形態１）
図１〜図３に示すように、空気清浄機の本体１は、正面にフロントパネルを設けた略箱形に形成され、この本体１の一側面に吸気口２を、他の側面に吹出口１０を設けている。本体１内には空気を清浄化するため清浄化手段としてのフィルター３と、このフィルター３に通風する送風手段としてのファンモーター４が備えられ、室内の空気は、このファンモーター４の駆動により、吸気口２から吸い込まれ、フィルター３を通って清浄された後、吹出口１０から室内へ吹き出される。
【００６２】
本体１左上部には汚れ検出手段としてガスセンサ５ａを備えたガス検出部５が設けられ、本体１の側面には汚れ検出手段として光学式の粉塵センサ６ａを備えた粉塵検出部６が設けられている。
【００６３】
また本体１の正面上部には操作部９が設けられ、操作部９の内側に畳数設定手段として畳数設定部７と制御部８が収納され、制御部８に演算部１２を設けている。本体１の正面左端部に室内空気の汚れ状態を色変化で表す汚れ表示部１１を備えている。
【００６４】
上記構成において、電源が通電されると制御部８はガス検出部５または粉塵検出部６で検出した出力信号を０〜５の汚れレベル値に変換する処理をおこない、操作部９を自動運転に設定すると、制御部８は汚れレベル値に従って汚れ表示部１１の色を変化させ、ファンモータ４を運転するものである。このときガス検出部５または粉塵検出部６の検出する汚れレベルに対するファンモータ４の送風量は図２（イ）に示す関係としている。表示部１１はカラー表示できればよく、ＬＥＤなどがある。
【００６５】
また図２（ロ）に示すように畳数設定部７は１０畳未満、１０畳以上１５畳未満、１５畳以上の３段階に設定を切り替えることができ、設定毎にそれぞれ各風量の回転数が決められており、使用者は設置する部屋の広さにより畳数設定部７を操作して、例えば１５畳以上の設定にした場合は各風量の回転数は弱ノッチ５５０ｒｐｍ、中ノッチ７５０ｒｐｍ、強９５０ｒｐｍと決定され、１０畳以上１５畳未満の設定にした場合は、各風量の回転数は弱ノッチ５００ｒｐｍ、中ノッチ７００ｒｐｍ、強９００ｒｐｍと決定され、また、１０畳未満の設定にした場合は、各風量の回転数は弱ノッチ４５０ｒｐｍ、中ノッチ６５０ｒｐｍ、強８５０ｒｐｍと決定され、制御部８によりその各風量の設定回転数に変更され、汚れ検出手段のガス検出部５と粉塵検出部６による汚れレベルによって、ファンモータ４を運転し、室内空気を浄化する。畳数設定部７としては、畳数を設定できればよく、押しボタンスイッチなどがある。畳数設定部７としては、畳数を設定できればよく、押しボタンスイッチなどがある。制御部８としては、上記制御内容がプログラムされたマイコンなどがある。
【００６６】
以上のように、使用者が室内の広さを畳数設定部７を操作して設定することで、制御部８により各風量の設定回転数が変更され、図２（ロ）の運転条件に示すように、広い部屋で使用する場合、すなわち、畳数設定手段７の設定値が基準値より大きい場合、すなわち、設定畳数が１５畳以上の場合は設定する回転数を上げて汚れを浄化するスピードを上げ、逆に狭い部屋、すなわち、畳数設定手段７の設定値が基準値より小さい場合、すなわち、設定畳数が１０畳未満の場合は設定する回転数を下げて低騒音で浄化するようにすることができる。
【００６７】
また、畳数設定のための操作部を設けているが赤外線を用いた送受信機を設けて送信から受信までの時間計測により室内の広さを自動計測しても良い。
【００６８】
また、ここでは畳数設定を３段階にしているが汚れの清浄効果を上げるため５段階や１０段階に選択できるようにしても良い。
【００６９】
（実施の形態２）
本実施の形態は前記実施の形態１と制御方法が異なるのみであり、同一構成のものは同一番号を付して詳しい説明は省略する。
【００７０】
まず電源が通電されると制御部８は２０分間隔でガス検出部５または粉塵検出部６で検出した出力信号を０〜５の汚れレベル値に変換し、各２０分間の汚れレベル値の最大値を記憶し始め、規定時間としてトータル２４時間分の７２個のデータを時系列に記憶する。
【００７１】
まず、初回運転を開始するために操作部８を自動運転に設定すると、基本動作としてファンモーター４を１０分間運転し、５０分間停止するサイクルを繰り返す。ガス検出部５または粉塵検出部６により空気汚れを検出すると、汚れ表示部１１が青色から赤色に変化し汚れレベルに応じた風量で運転を開始する。
【００７２】
空気汚れが清浄化され汚れレベルが０になるとファンモーター４が停止するが、５０分間の停止状態が継続していると判断した場合に、制御部８は１０分間の運転と５０分間の停止サイクルを繰り返す間欠運転に再び移行する。
【００７３】
以上のような運転を行なう間に制御部８はガス検出部５または粉塵検出部６で検出した信号を０〜５の６段階の汚れレベル値に変換し、この汚れレベル値を２０分間隔の時系列データとして翌日の予測運転のために記憶する。なお、このときの個々の汚れレベル値は各２０分間の最高値を記憶するようにしているが、各２０分間の平均値としてもよい。
【００７４】
次の日（汚れデータ値の記憶開始から２４時間後）は、記憶された汚れレベル値に対応する風量に対して畳数設定部６からの設定信号による判断を加えた回転数による風量にて１０分ＯＮ、１０分ＯＦＦの基本間欠運転を行なう。
【００７５】
例えば図４（イ）、（ロ）、（ハ）に示すように、２２時から２３時の２０分毎に検出される汚れレベル値は３、２、１となり、次の日の基本間欠運転は運転風量を中７００ｒｐｍ（１０分）、０、中７００ｒｐｍ（１０分）、０、弱５００ｒｐｍ（１０分）、０の１０分間隔の間欠運転となるが、畳数設定部７により１０畳以下と設定されている場合は中６５０ｒｐｍ（１０分）、０、中６５０ｒｐｍ（１０分）、０、弱４５０ｒｐｍ（１０分）、０の１０分間隔の間欠運転となり、また畳数設定部７により１５畳以上と設定されている場合は中７５０ｒｐｍ（１０分）、０、中７５０ｒｐｍ（１０分）、０、弱５５０ｒｐｍ（１０分）、０の１０分間隔の間欠運転になるようにしており、この基本間欠運転を行なうときも、室内の空気汚れをガス検出部５や粉塵検出部６により検出を行ない、この検出された汚れレベル値に従った風量を、基本間欠運転の風量０区間に加えた実動運転を行なう。
【００７６】
以上のように畳数設定部７にて設定された畳数により、室内の広さが広い場合は検出した汚れ量よりも実際の汚れ量が多いと想定して回転数を上げることで運転風量を大きくして清浄効果を高めることができ、室内の広さが狭い場合は検出した汚れ量よりも実際の汚れ量が少ないと想定して回転数を下げることで運転風量を小さくして低騒音で清浄することができる。
【００７７】
また、ここでは設定された畳数によって各風量の回転数を変更したが、室内が広い時には運転ノッチ１段階上げたり、室内が狭い時には運転ノッチを１段階下げたりしても作用効果に差異はなく、また室内が広い時には運転時間を１０分から１５分に延長したり、室内が狭い時には運転時間を１０分から５分に短縮しても作用効果に差異はない。
【００７８】
（実施の形態３）
本実施の形態は前記実施の形態１あるいは２と制御方法が異なるのみであり、同一構成のものは同一番号を付して詳しい説明は省略する。
【００７９】
図５（イ）、（ロ）、（ハ）に示すように同じ時間帯に汚れレベル５が２回以上続いた場合は畳数設定部７により設定された畳数を１段階上げた畳数の回転数で運転するようにし、逆に汚れレベル１が２回以上続いた場合は畳数設定部７により設定された畳数を１段階下げた畳数の回転数で運転するようにしている。
【００８０】
このように、連続して空気汚れが多い時間帯には回転数を上げて汚れ除去スピードを上げ、逆に空気汚れが少ない時間帯には回転数を下げることで低騒音で効率良く空気汚れを
除去することができる。
【００８１】
（実施の形態４）
本実施の形態は前記実施の形態１〜２と制御方法が異なるのみであり、同一構成のものは同一番号を付して詳しい説明は省略する。
【００８２】
図６（イ）、（ロ）に示すように、制御部８は記憶された汚れレベル値が粉塵検出部６からの信号の場合は翌日の風量を畳数設定部７により設定された畳数の回転数より１段階上げた畳数の回転数で運転するようにし、さらに規定の運転時間を１０分から５分に短縮するようにしている。また、記憶された汚れレベル値がガス検出部５からの信号の場合は翌日の風量を畳数設定部７により設定された畳数の回転数より１段階下げた畳数の回転数で運転するようにし、さらに規定の運転時間を１０分から１５分に延長するようにしている。
【００８３】
このように、検出される汚れ物質が粉塵の場合は運転風量を上げ短時間で一機に除去し、ニオイ等のガス成分の場合は運転風量を下げて運転時間を延ばすことで効率良く除去することができる。
【産業上の利用可能性】
【００８４】
使用する部屋の広さを設定することで効率良く最適風量で運転することができるので、自動運転ができるエアコンの運転制御にも適用できる。
【図面の簡単な説明】
【００８５】
【図１】本発明の実施の形態１の空気清浄機の一部破断の外観斜視図
【図２】同各検出部の汚れレベル値に対する運転風量の相関図（（イ）ガス検出部および粉塵検出部の汚れレベル値に対する運転風量を示す図、（ロ）畳数設定部の設定値と運転風量と回転数を示す図）
【図３】同制御ブロック図
【図４】本発明の実施の形態２のタイミングチャート（（イ）記憶される汚れレベル値を示す図、（ロ）次の日の基本間欠運転を示す図、（ハ）畳数設定が１０畳未満の時の間欠運転を示す図、（二）畳数設定が１５畳以上の時の間欠運転を示す図）
【図５】本発明の実施の形態３のタイミングチャート（（イ）記憶されてる汚れレベル値を示す図、（ロ）畳数設定が１０畳〜１５畳の場合の翌日の基本間欠運転を示す図、（ハ）前記（イ）の汚れ検出が連続した場合の翌々日の基本間欠運転を示す図）
【図６】本発明の実施の形態４のタイミングチャート（（イ）記憶されている汚れレベル値を示す図、（ロ）畳数設定が１０畳〜１５畳の場合の次の日の基本間欠運転を示す図）
【図７】従来の空気清浄機の一部破談の外観斜視図
【図８】同空気清浄機の間欠運転のタイミングチャート（（イ）記憶される汚れレベル値を示す図、（ロ）次の日の予測間欠運転状態を示す図）
【図９】同ガス検出部および粉塵検出部の汚れレベル値に対する運転風量の相関図
【符号の説明】
【００８６】
１  本体
２  吸気口
３  フィルター（清浄化手段）
４  ファンモーター（送風手段）
５  ガス検出部（汚れ検出手段）
６  粉塵検出部（汚れ検出手段）
７  畳数設定部（畳数設定手段）
８  制御部
【図１】
2007203204.tif 000003
【図２】
2007203204.tif 000004
【図３】
2007203204.tif 000005
【図４】
2007203204.tif 000006
【図５】
2007203204.tif 000007
【図６】
2007203204.tif 000008
【図７】
2007203204.tif 000009
【図８】
2007203204.tif 000010
【図９】
2007203204.tif 000011